(57)【要約】 【課題】  任意のトラックについて、異音の発生を防止しつつ、簡便に再生可能な圧縮オーディオファイルを作成可能な記録装置および記録方法を提供する。【解決手段】  オーディオソースから、管理情報およびオーディオデータの入力を受け付け、入力された管理情報を記録し、記録された管理情報に基づいて、入力されるオーディオデータがトラックの開始位置のデータであるか否かを判別し、入力されたデータがトラックの開始位置のデータではないと判別したとき、ビット貯蓄機能をオンとして圧縮オーディオデータを作成し、入力されたオーディオデータがトラックの開始位置のデータであると判別したとき、ビット貯蓄機能をオフとして圧縮オーディオデータを作成し、作成した圧縮オーディオデータを記録する。【選択図】  図１
2006277871.tif 000002
【特許請求の範囲】
【請求項１】
オーディオソースから、管理情報およびオーディオデータの入力を受け付ける入力部と、
前記入力部から入力された管理情報を記録する管理情報記録部と、
前記管理情報記録部に記録された管理情報に基づいて、入力されるオーディオデータがトラックの開始位置のデータであるか否かを判別する開始位置判別部と、
前記開始位置判別部が入力されたデータがトラックの開始位置のデータではないと判別したとき、ビット貯蓄機能をオンとして圧縮オーディオデータを作成し、前記開始位置判別部が入力されたオーディオデータがトラックの開始位置のデータであると判別したとき、ビット貯蓄機能をオフとして圧縮オーディオデータを作成するエンコーダと、
前記エンコーダが作成した圧縮オーディオデータを記録する圧縮オーディオデータ記録部と、
を備える、ことを特徴とする記録装置。
【請求項２】
前記入力部には曲間に無音時間を含まないオーディオソースが入力され、
前記圧縮オーディオデータ記録部は、前記エンコーダが作成した圧縮データを１つのファイルとして記録する、
ことを特徴とする請求項１に記載の記録装置。
【請求項３】
前記圧縮オーディオデータ記録部に記録されたデータをデコードするデコーダをさらに備える、
ことを特徴とする請求項１または２に記載の記録装置。
【請求項４】
オーディオソースから、管理情報およびオーディオデータの入力を受け付け、
入力された管理情報を記録し、
記録された管理情報に基づいて、入力されるオーディオデータがトラックの開始位置のデータであるか否かを判別し、
入力されたデータがトラックの開始位置のデータではないと判別したとき、ビット貯蓄機能をオンとして圧縮オーディオデータを作成し、入力されたオーディオデータがトラックの開始位置のデータであると判別したとき、ビット貯蓄機能をオフとして圧縮オーディオデータを作成し、
作成した圧縮オーディオデータを記録する、
ことを含む、ことを特徴とする記録方法。
【発明の詳細な説明】
【技術分野】
【０００１】
本発明は、オーディオソースから所定形式の圧縮オーディオデータファイルを作成し、記録するための技術に関する。
【背景技術】
【０００２】
近年、ＣＤ（Compact Disc）などのデジタルオーディオソースから、ＭＰ３（Moving Picture Expert Group Audio Layer-3）やＡＴＲＡＣ３（Adaptive TRansform Acoustic Coding 3）等の形式の圧縮オーディオデータファイルを作成、記録し、再生する記録再生装置が普及している。
【０００３】
オーディオソースからのデータは、通常、１つのトラックが１つの圧縮ファイルとして保存される。したがって、圧縮ファイルのトラック間には無音時間が存在する。無音時間の存在は、曲がトラック毎に分けられている通常のアルバムＣＤ等のソースから圧縮ファイルを作成した場合には問題とならない。しかし、例えば、オーディオデータが連続的に記録されているライブ版のアルバムＣＤ等のソースから圧縮ファイルを作成する場合には、トラック間に無音時間が強制的に挿入されてしまい問題となる。
【０００４】
これを解決するために、オーディオソースに連続的に記録されている複数のトラックを１つの圧縮ファイルとして保存する記録装置が考えられている（例えば、下記特許文献１参照）。この構成によれば、圧縮ファイルは１つのファイルとして作成されているため、再生時に無音時間が発生しない。また、この構成では、各曲の開始位置を示すオーディオデータ情報（フレーム番号等）を位置情報ファイルに保存する。このため、編集・再生時にはこの位置情報ファイルを参照して、特定の曲の編集・再生を行うことができる。
【０００５】
【特許文献１】特開２００４−９３７２９号公報
【発明の開示】
【発明が解決しようとする課題】
【０００６】
ところで、圧縮ファイルを作成する手法には、ビットレートを一定に保つため、隣接するフレームにまたがってフレームデータを保存するものがある。この手法は「ビット貯蓄（bit reservoir）」と言われ、先行するフレームの空き領域に後続フレームのデータの一部を格納する。したがって、ビット貯蓄を用いて圧縮されたファイルは、完全に独立なフレーム単位から構成されていない。
【０００７】
このため、上記のように１つのファイルとして作成された圧縮ファイルを特定のトラックから再生する場合、ビット貯蓄を用いて圧縮された場合には、トラックの開始フレームのデータが不足するため異音が発生してしまう。また、同様の理由から、トラック単位の削除等を行ったこのような圧縮ファイルを再生するとき、異音が発生する場合がある。本発明は、上記問題点を解決することを目的とする。
【課題を解決するための手段】
【０００８】
上記目的を達成するため、本発明の第１の観点に係る記録装置は、オーディオソースから、管理情報およびオーディオデータの入力を受け付ける入力部と、前記入力部から入力された管理情報を記録する管理情報記録部と、前記管理情報記録部に記録された管理情報に基づいて、入力されるオーディオデータがトラックの開始位置のデータであるか否かを判別する開始位置判別部と、前記開始位置判別部が入力されたデータがトラックの開始位置のデータではないと判別したとき、ビット貯蓄機能をオンとして圧縮オーディオデータを作成し、前記開始位置判別部が入力されたオーディオデータがトラックの開始位置のデータであると判別したとき、ビット貯蓄機能をオフとして圧縮オーディオデータを作成するエンコーダと、前記エンコーダが作成した圧縮オーディオデータを記録する圧縮オーディオデータ記録部と、を備える。
【０００９】
上記構成によれば、オーディオソースから入力されるデータがトラックの開始位置のものである場合、ビット貯蓄を用いずにエンコードされる。隣接するフレーム間にわたってデータを保存するビット貯蓄の手法を用いないため、圧縮ファイルのトラック開始フレームは常に先行するフレームとは独立したものとなる。従って、ファイル中の特定のトラックからデコードし再生する場合でも、トラックの開始フレームにおいてデータが不足することはなく、不足するデータを捜し出すなどの特別な処理なしに異音の発生は確実に回避される。
【００１０】
上記構成において、前記入力部には曲間に無音時間を含まないオーディオソースが入力されてもよく、この場合、前記圧縮オーディオデータ記録部は、前記エンコーダが作成した圧縮データを１つのファイルとして記録する。この構成によれば、１つのファイルとして記録されることにより、曲間の無音時間なく再生が可能である。また、このファイル中の任意のトラックについて、異音の発生およびこれを回避するための特別な処理を伴うことなく、簡便に再生・編集が可能である。
【００１１】
上記構成において、前記圧縮オーディオデータ記録部に記録されたデータをデコードするデコーダをさらに備えてもよい。すなわち、上記構成の記録装置は、デコーダを備えた記録再生装置として用いることが可能である。
【００１２】
上記目的を達成するため、本発明の第２の観点に係る記録方法は、オーディオソースから、管理情報およびオーディオデータの入力を受け付け、入力された管理情報を記録し、記録された管理情報に基づいて、入力されるオーディオデータがトラックの開始位置のデータであるか否かを判別し、入力されたデータがトラックの開始位置のデータではないと判別したとき、ビット貯蓄機能をオンとして圧縮オーディオデータを作成し、入力されたオーディオデータがトラックの開始位置のデータであると判別したとき、ビット貯蓄機能をオフとして圧縮オーディオデータを作成し、作成した圧縮オーディオデータを記録する、ことを含む。
【発明の効果】
【００１３】
本発明によれば、任意のトラックについて、異音の発生を防止しつつ、簡便に再生可能な圧縮オーディオファイルを作成可能な記録装置および記録方法が提供される。
【発明を実施するための最良の形態】
【００１４】
本発明に係る実施の形態について、以下、図面を参照して詳細に説明する。なお、以下に示す実施の形態は一例であり、これに限定されない。
【００１５】
本発明の実施の形態に係るオーディオデータの記録装置のブロック図を図１に示す。図１に示すように、本実施形態の記録装置２０は、入力部１１と、エンコーダ１２と、記録部１３と、出力部１６と、制御部１４と、を備える。
【００１６】
入力部１１には、各種のオーディオソースからのオーディオ信号が入力される。オーディオソースとしてはＣＤ（Compact Disk）、ＭＤ（Mini Disc）、ＤＶＤ（Digital Versatile Disc）オーディオ等が挙げられる。また、インターネット等のネットワークを介してコンピュータ等のメモリにダウンロードされたオーディオデータが入力部１１に入力されてもよい。オーディオソースには、無音時間を挟んで複数の曲トラックが記録された一般的なオーディオソースの他に、曲間に無音時間が存在しないオーディオ信号、例えば、コンサートやライブの音声を記録したライブ版ＣＤ等のソースが含まれる。なお、本願書類において、「無音時間」とは、曲間を区別するために出力される、所定レベル以下、所定時間（例えば、１〜３秒）の音声信号出力をいう。入力部１１から入力されたデータは、図示しないバッファメモリ等に一時的に保存される。
【００１７】
エンコーダ１２は、入力部１１より入力されたオーディオ信号を、ＭＰ３（Moving Picture Expert Group Audio Layer-3）形式でエンコードする。エンコーダ１２は、入力されたオーディオ信号を圧縮し、基本単位（フレーム）の集合からなる圧縮データファイルを作成する。各フレームは、ヘッダと、サイド情報と、（メイン）データとから構成される。ヘッダは、同期ワード、ＩＤタグ情報、フレームサイズ情報等を含んで構成されている。サイド情報は、データ形式等の情報を含んで構成されている。ヘッダとサイド情報との間にはエラーチェックが挿入されている。
【００１８】
記録部１３は、管理情報ファイル１３０と、オーディオファイル１３１と、位置情報ファイル１３２と、を記録する。
【００１９】
管理情報記憶ファイル１３０は、オーディオソースから読み出された管理情報を記録する。管理情報ファイル１３０に記録される管理情報は、オーディオソースに記録されているデータのトラック数、トラック開始位置、トラック長等であり、例えば、ＣＤのＴＯＣ（Table Of Content）情報として取得される。
【００２０】
オーディオファイル１３１は、エンコーダ１２により圧縮されたオーディオデータを記録する。エンコーダ１２により圧縮されるオーディオデータは、いわゆるリジュームプレイ（前回停止した位置からの再生）の際に利用されるフレームの集合から成る。このフレーム群から構成される１又は複数のトラック（曲）が、１又は複数のファイルとしてオーディオファイル１３１に記録される。
【００２１】
曲間に無音時間が挿入されているオーディオソースからの入力信号は、トラックごとに異なる圧縮ファイルとしてオーディオファイル１３１に記録される。すなわち、複数の曲が無音時間を挟んで記録されている通常のアルバムＣＤ等をソースとする場合には、トラックはそれぞれ異なる複数の圧縮ファイルとしてオーディオファイル１３１に記録される。
【００２２】
一方、本実施形態におけるエンコーダ１２は、曲間に無音時間が存在しないライブ版ＣＤ等のソースからの入力信号は１つの圧縮ファイルとしてエンコードし、オーディオファイル１３１に記録される。このように１つの圧縮ファイルとして記録されることにより、無音時間の発生を確実に防いで、圧縮前のデータと同様に連続的に再生可能である。
【００２３】
また、本実施の形態におけるエンコーダ１２は、「ビット貯蓄（bit reservoir）」の手法を用いてエンコード可能である。すなわち、エンコーダ１２は、図示しないバッファメモリに保存されたデータをエンコードする際、隣接するフレーム間でオーディオデータの保存領域の貸し借りをして保存することができる。
【００２４】
図２に、ビット貯蓄機能がオンのときにエンコーダ１２が作成する圧縮オーディオデータファイルの構成例を示す。すなわち、図２に示すように、フレーム（Ｍ）のデータの一部が先行するフレーム（Ｍ−１）に含まれている。同様に、フレーム（Ｍ＋１）のデータの一部は、先行するフレーム（Ｍ）に含まれており、更にフレーム（Ｍ＋２）のデータの一部は、先行するフレーム（Ｍ＋１）に含まれている。このように、先行するフレームの空き領域に後のフレームのデータを保存することにより、全体として略一定のビットレートを保つことができる。エンコーダ１２は、例えば、信号特性に大きなピークが現れ、ビット数が所定基準よりも多く必要とされると予想される場合にビット貯蓄を用いて圧縮ファイルを作成する。勿論、高い圧縮率を実現するため、全てのフレームについてビット貯蓄を施すようにしてもよい。
【００２５】
本実施の形態において、エンコーダ１２は、トラックの開始位置をエンコードする際には、ビット貯蓄機能をオフとして動作する。すなわち、トラックの開始位置をエンコードするとき、エンコーダ１２は、ビット貯蓄を用いず、独立してデコード可能なフレームを作成する。より具体的には、エンコーダ１２は、データが隣接するフレーム間にまたがらないようにトラック開始位置のフレームを作成する。図３にトラックの開始位置をエンコードするときに、エンコーダ１２が作成する圧縮データファイルの構成例を示す。図３に示すように、トラック開始位置に対応するフレーム（Ｎ＋１）のデータは、先行するフレーム（Ｎ）に含まれずに保存されている。このように、トラック開始位置に対応するフレーム（Ｎ＋１）は独立しており、それ以降のフレームからデコード可能であり、また、フレーム（Ｎ＋１）以降は、先行するフレーム（Ｎ）から切り離して削除、移動等が可能である。
【００２６】
位置情報ファイル１３２には、オーディオファイル１３１に記録されたファイルについて、ファイル中に含まれる各トラック（曲）の開始位置（アドレス）、トラック長等のファイルの管理情報が記録されている。位置情報ファイル１３２の位置情報に基づいて、オーディオファイル１３１に保存された任意のトラックが再生等のために指定される。位置情報ファイル１３２に記録された管理情報は、トラックの削除、移動等の編集作業時に更新される。
【００２７】
本実施の形態では、曲間に無音時間があるソースから作成する圧縮ファイルだけでなく、曲が連続的に記録されているソースから作成する圧縮ファイルについても、各トラックの開始位置情報が位置情報ファイル１３２に記録されている。従って、全体として１つの圧縮ファイルとして作成され、無音時間なしに連続再生可能な圧縮ファイルについても、その任意のトラックの指定が可能である。すなわち、本実施の形態では、複数の曲が連続して記録されたソースについて、１つの圧縮ファイルを作成して無音時間なしに再生可能であるとともに、これに含まれる任意の曲の指定、再生が可能である。
【００２８】
ここでさらに、本実施の形態では、トラックの開始位置では、ビット貯蓄機能をオフとしてエンコードされる。このため、圧縮ファイルにおけるトラックの開始フレームは、常に先行する他のトラックのフレームから独立している。したがって、位置情報ファイル１３２に記録された位置情報に基づいて任意のトラックから再生する場合でも、各トラックの再生時に異音が発生することはない。これにより、１つの圧縮ファイルに含まれる複数のトラックのうち、任意のトラックを指定する場合であっても、再生時に異音は発生することは確実に回避可能である。また、これらのトラックについて削除、移動等の編集をした場合でも、再生時に異音の発生は確実に防がれる。
【００２９】
出力部１６は、音声ファイル１３１に保存された圧縮オーディオデータファイルを、Ａ／Ｄコンバータ等に出力する。
【００３０】
操作部１７は、ボタン、ジョグダイヤル等から構成され、ユーザが各種の指示を入力するために設けられている。ユーザは操作部１７を操作して、記録の開始／停止等の指示を入力することができる。
【００３１】
制御部１４は、上記構成の記録装置２０の全体を制御する。制御部１４は、開始位置判別部１４１を備える。
【００３２】
開始位置判別部１４１は、管理情報ファイル１３０に記録された管理情報に基づいて、入力されるオーディオデータがトラックの開始位置のデータであるか否かを判別する。具体的には、開始位置判別部１４１は、例えば、入力された又はこれから入力されるオーディオデータが、管理情報ファイル１３０に記憶されたトラック開始位置のものであるか否かを判別する。これに限らず、開始位置判別部１４１は、例えば、新たなトラック番号に対応するオーディオデータが入力されたか否かを判別するようにしてもよい。また、開始位置判別部１４１は、例えば、入力されたオーディオデータの無音時間（所定レベル以下の信号が所定時間続く期間）を検出して新たなトラック開始位置を判別するようにしてもよい。また別に、ユーザが入力されるオーディオデータを聞きながら操作部１７を操作して新たなトラック開始位置を指定するようにしてもよい。
【００３３】
開始位置判別部１４１が入力されるオーディオデータがトラックの開始位置のものであると判別したとき、制御部１４は、ビット貯蓄機能をオフとしてエンコードするようエンコーダ１２を制御する。開始位置判別部１４１が入力されるオーディオデータがトラックの開始位置のものではないと判別したとき、制御部１４は、ビット貯蓄機能をオンとしてエンコードするようエンコーダ１２を制御する。
【００３４】
以下、上記構成の本実施の形態に係る記録装置の動作について、図面を参照して説明する。図４に、本実施の形態の記録装置の記録動作の一例を示すフローチャートを示す。
【００３５】
制御部１４は、操作部１７を通じてユーザから記録指示を受け付けると、図４のフローチャートに示す動作を開始する。まず、制御部１４は、オーディオソース（例えばＣＤ）のＴＯＣ情報を取得する（ステップＳ１０１）。取得された管理情報は、新たに作成した或いは予め作成された管理情報ファイル１３０に保存される。このとき、制御部１４は、管理情報に基づいて、入力されるオーディオソースに無音時間が存在するか否かを判別する。
【００３６】
制御部１４は、次いで、オーディオファイル（空ファイル）１３１と、位置情報ファイル（空ファイル）１３２と、を作成する（ステップＳ１０２およびＳ１０３）。なお、オーディオファイル１３１および位置情報ファイル１３２は予め記録部１３に作成されていてもよい。
【００３７】
次いで、制御部１４は、入力されたオーディオデータがトラック開始位置のものか否かを管理情報ファイル１３０に記録された管理情報に基づいて判別する（ステップＳ１０４）。
【００３８】
トラック開始位置のデータである場合（ステップＳ１０４；ＹＥＳ）、制御部１４はエンコーダ１２にビット貯蓄機能をオフとしてエンコードするよう制御する（ステップＳ１０５）。このとき、制御部１４は、入力部１１に順次入力されるデータを一旦図示しないバッファメモリに格納し、格納した記録データを例えばフレーム単位或いは複数フレームを含む一定のデータ量毎にエンコードするようエンコーダ１２を制御する。
【００３９】
制御部１４は、エンコードにより得られた圧縮ファイルを構成するトラックの番号、開始位置の記録容量等の管理情報を位置情報ファイル１３２に記録する（ステップＳ１０７）。また、制御部１４は、エンコードにより得られた圧縮データを、オーディオファイル１３１に記録する（ステップＳ１０８）。このとき、オーディオファイル１３１には、トラックの開始位置が独立したフレームからなる圧縮データファイルが保存される。
【００４０】
また、オーディオソースから曲間に無音時間が存在するオーディオデータが入力される場合、制御部１４は、各トラックをそれぞれ別ファイルとしてオーディオファイル１３１に記録する。一方、オーディオソースから曲間に無音時間が存在しないオーディオデータが入力される場合、制御部１４は、各トラックを全体として１つのファイルとしてオーディオファイル１３１に記録する。
【００４１】
一方、入力されたデータがトラック開始位置のデータでない場合は（ステップＳ１０４；ＮＯ）、制御部１４は、ビット貯蓄機能をオフとしてエンコードするようエンコーダ１２を制御する（ステップＳ１０６）。制御部１４は、エンコードにより得られた圧縮データのトラック番号およびトラック開始位置の記録容量を位置情報ファイル１３２に記録し（ステップＳ１０７）、圧縮されたデータをオーディオファイル１３１に記録する（ステップＳ１０８）よう制御する。
【００４２】
その後、制御部１４は、オーディオソースに含まれる最後のトラックのエンコードが終了したか否かを管理情報に基づき判別する（ステップＳ１０９）。最後のトラックのエンコードが終了していない場合（ステップＳ１０９；ＮＯ）、ステップＳ１０４に戻り次のトラックをエンコードする。最後のトラックまでエンコードが終了した場合（ステップＳ１０９；ＹＥＳ）、記録、更新したオーディオファイル１３１および位置情報ファイル１３２をそれぞれ保存する（ステップＳ１１０およびＳ１１１）。
【００４３】
以上の動作により、オーディオソースに含まれる全てのトラックが１または複数の圧縮ファイルとしてエンコードされ、同時に圧縮データファイルを構成するトラックの開始位置情報を保存した位置情報ファイルが作成される。
【００４４】
以上説明したように、本実施の形態によれば、無音時間を含まないソースから作成された圧縮オーディオファイルは、全体が１つの圧縮ファイルとして作成可能である。したがって、この圧縮ファイルを再生した場合には、最初から最後まで１つのファイルとして無音時間を含まずに連続的に出力することができる。
【００４５】
また、ユーザが操作部１７を操作して所望の曲の指定を指定したとき、制御部１４は、位置情報ファイル１３２を参照し、指定されたトラックの開始位置情報を取得することができる。したがって、オーディオファイル１３１に保存されたファイルの任意のトラックを出力することが可能である。
【００４６】
ここで、本実施の形態では、各トラックの開始フレームはビット貯蓄機能を用いずにエンコードされ、トラックの開始フレームはそれ自体独立してデコード可能である。このため、ライブ版ＣＤ等の曲間に無音時間を含まないソースから１つのファイルとして作成した圧縮データファイルについて、これを構成する任意のトラックデータを、異音の発生を伴うことなく、その開始位置から出力可能である。
【００４７】
また、同様の理由から、ライブ版ＣＤ等の曲間に無音時間を含まないオーディオソースから作成した圧縮ファイルを安全に編集することができる。例えば、ユーザが操作部１７を操作して所望のトラックの削除を指定したときには、制御部１４は、位置情報ファイル１３２を参照し、指定されたトラックの開始位置情報と次のトラックの開始位置情報を取得する。制御部１４はオーディオファイル１３１から、指定されたトラックの開始位置情報と次のトラックの開始位置情報を基にオーディオファイル１３１のデータを削除する。また、制御部１４は、位置情報ファイル１３２のデータを、削除したデータの記録容量に合わせて更新する。本実施の形態では、各トラックの開始フレームは独立しているため、安全に任意のトラックの削除をすることができ、削除後の再生時に特別な処理なく、異音の発生を伴わずに出力が可能である。
【００４８】
また、同様に、ユーザが操作部１７を操作して希望のトラックの移動を指定したときは（移動トラックと移動場所をそれぞれ指定）、制御部１４は、位置情報ファイル１３２を参照し、指定された移動トラックの開始位置、次のトラックの開始位置および移動先の位置情報を取得する。制御部１４はこれらの位置情報を基にオーディオファイル１３１のデータを同一ファイル内で移動する。制御部１４は、同時に、位置情報ファイル１３２のデータを、移動したデータの容量に合わせて更新する。このとき、上記のように各トラックの開始フレームは独立しているため、移動後、再生時に特別な処理なく、異音の発生を伴わずに出力が可能である。
【００４９】
なお、上記実施の形態では、オーディオソースからのオーディオデータをＭＰ３形式で圧縮保存する場合を例にとって説明したが、圧縮形式はこれに限定されず、ＡＴＲＡＣ３（Adaptive TRansform Acoustic Coding 3）等の他の圧縮形式を用いる場合にも好適に適用可能である。
【００５０】
また、上記実施の形態では、オーディオソースから圧縮オーディオデータファイルを作成し記録する記録装置２０について説明している。しかし、上記記録機能に加え、再生機能を搭載した記録再生装置に本発明を適用することも可能である。例えば、図５に示すように、オーディオファイル１３１から読み出されたオーディオファイルを圧縮時と同じ形式に従ってデコードするデコーダ１６を備えた記録再生装置も構成可能である。
【００５１】
また、上記実施の形態において、オーディオファイル１３１に記録された圧縮データに関する位置情報は、位置情報ファイル１３２に記録せず、圧縮ファイルのＩＤ３タグに記録するようにしてもよい。
【００５２】
上記で詳細に説明したものは本発明の実施の形態に過ぎず、本発明の新規な開示及び利点から大きく逸脱することなしに、当該例示的な実施形態において多くの修正が可能であることは当業者には容易に理解されるであろう。従って、かかる修正のすべてが本発明の範囲内に含まれると意図される。
【図面の簡単な説明】
【００５３】
【図１】本発明の実施の形態に係る記録装置の構成を示すブロック図である。
【図２】ビット貯蓄機能をオンとしてエンコードしたときのフレーム構成例を示す図である。
【図３】ビット貯蓄機能をオフとしてエンコードしたときのフレーム構成例を示す図である。
【図４】本実施の形態に係る記録方法を説明するフローチャートである。
【図５】本発明の他の実施の形態に係る記録再生装置を示すブロック図である。
【符号の説明】
【００５４】
２０  記録装置、１１  入力部、１２  エンコーダ、１３  記録部、１４  制御部、１６  出力部、１７  操作部
【図１】
2006277871.tif 000003
【図２】
2006277871.tif 000004
【図３】
2006277871.tif 000005
【図４】
2006277871.tif 000006
【図５】
2006277871.tif 000007